【手続補正書】
【提出日】平成18年2月21日(2006.2.21)
【手続補正１】
【補正対象書類名】明細書
【補正対象項目名】特許請求の範囲
【補正方法】変更
【補正の内容】
【特許請求の範囲】
【請求項１】  複数のネットワークセグメントから構成され、上記ネットワークセグメントには情報処理を司るプロセス部を備えるノードが複数接続され、
上記各プロセス部は、ネットワーク内の他のプロセス部とメッセージを相互に送受信し得、第１状態と第２状態の何れにも自己の状態を変化し得、
上記複数のプロセス部によりグループが構成され、上記グループ内の唯一のプロセス部が上記第１状態となっており、上記グループ内の他のプロセス部が上記第２状態となっているネットワークシステムであって、
上記第１状態のプロセス部は、グループ内で第２状態となっているプロセス部に関する情報を記憶し、
上記第２状態のプロセス部は、グループ内で第１状態となっているプロセス部に関する情報を記憶し、
第１のグループ内で上記第１状態となっているプロセス部と、第２のグループ内で上記第１状態となっているプロセス部との間でメッセージを交換し、両グループ間で唯一の第１状態となるプロセス部を決定し、上記決定により選定されたプロセス部を第１状態に維持し、上記決定により選定されなかったプロセス部を第２状態にし、上記第１のグループに属するプロセス部と上記第２のグループに属するプロセス部とからなる第３のグループを構成する
ことを特徴とするネットワークシステム。
【請求項２】  上記第２状態の一のプロセス部は自己に関する情報を自己が属するグループ内の上記第１状態のプロセス部に複写し、上記グループ内の第２状態の他のプロセス部は上記第１状態のプロセス部から上記一のプロセス部に関する情報を読み出すことにより、上記グループ内の第２状態の各プロセス部は互いに各プロセス部に関する情報を共有することを特徴とする請求項１記載のネットワークシステム。
【請求項３】  プロセス部にアクセスするための情報を記述した情報を、上記第１状態のプロセス部に複写することにより、上記アクセスするための情報を記述した情報を各プロセス部間で共有することを特徴とする請求項２記載のネットワークシステム。
【請求項４】  上記グループ内では、上記送り先を指定しないメッセージ及び上記特定のプロセス部を指定したメッセージを相互に送受信し得、異なるグループのプロセス部間では上記特定のプロセス部を指定したメッセージのみ送受信し得ることを特徴とする請求項１記載のネットワークシステム。
【請求項５】  上記プロセス部は、通信エラーを検出するエラー検出手段を有することを特徴とする請求項１記載のネットワークシステム。
【請求項６】  第１状態のプロセス部は、第２状態のプロセス部との間で通信エラーを検出した時、当該第２状態のプロセス部を記憶から削除することを特徴とする請求項５記載のネットワークシステム。
【請求項７】  第２状態のプロセス部は、第１状態のプロセス部との間で通信エラーを検出した時、自己の状態を第１状態に変化させることを特徴とする請求項５記載のネットワークシステム。
【請求項８】  上記プロセス部は、時間の経過を検知する時間経過検知手段を有することを特徴とする請求項１記載のネットワークシステム。
【請求項９】  第１状態のプロセス部は、第２状態のプロセス部との間の通信が所定時間以上無かったことを検知した時、当該第２状態のプロセス部を記憶から削除することを特徴とする請求項８記載のネットワークシステム。
【請求項１０】  複数のネットワークセグメントから構成され、上記ネットワークセグメントには情報処理を司るプロセス部を備えるノードが複数接続され、
上記各プロセス部は、ネットワーク内の他のプロセス部とメッセージを相互に送受信し得、第１状態と第２状態の何れにも自己の状態を変化し得、
上記複数のプロセス部によりグループが構成され、上記グループ内の唯一のプロセス部が上記第１状態となっており、上記グループ内の他のプロセス部が上記第２状態となっているネットワークを制御するネットワーク制御方法であって、
上記第１状態のプロセス部は、グループ内で第２状態となっているプロセス部に関する情報を記憶し、
上記第２状態のプロセス部は、グループ内で第１状態となっているプロセス部に関する情報を記憶し、
第１のグループ内で上記第１状態となっているプロセス部と、第２のグループ内で上記第１状態となっているプロセス部との間でメッセージを交換し、両グループ間で唯一の第１状態となるプロセス部を決定し、上記決定により選定されたプロセス部を第１状態に維持し、上記決定により選定されなかったプロセス部を第２状態にし、上記第１のグループに属するプロセス部と上記第２のグループに属するプロセス部とからなる第３のグループを構成する
ことを特徴とするネットワーク制御方法。
【請求項１１】  上記第２状態の一のプロセス部は自己に関する情報を自己が属するグループ内の上記第１状態のプロセス部に複写し、上記グループ内の第２状態の他のプロセス部は上記第１状態のプロセス部から上記一のプロセス部に関する情報を読み出すことにより、上記グループ内の第２状態の各プロセス部は互いに各プロセス部に関する情報を共有することを特徴とする請求項１０記載のネットワーク制御方法。
【請求項１２】  プロセス部にアクセスするための情報を記述した情報を、上記第１状態のプロセス部に複写することにより、上記アクセスするための情報を記述した情報を各プロセス部間で共有することを特徴とする請求項１１記載のネットワーク制御方法。
【請求項１３】  上記グループ内では、上記送り先を指定しないメッセージ及び上記特定のプロセス部を指定したメッセージを相互に送受信し得、異なるグループのプロセス部間では上記特定のプロセス部を指定したメッセージのみ送受信し得ることを特徴とする請求項１０記載のネットワーク制御方法。
【請求項１４】  第１状態のプロセス部は、第２状態のプロセス部との間で通信エラーを検出した時、当該第２状態のプロセス部を記憶から削除することを特徴とする請求項１０記載のネットワーク制御方法。
【請求項１５】  第２状態のプロセス部は、第１状態のプロセス部との間で通信エラーを検出した時、自己の状態を第１状態に変化させることを特徴とする請求項１０記載のネットワーク制御方法。
【請求項１６】  第１状態のプロセス部は、第２状態のプロセス部との間の通信が所定時間以上無かったことを検知した時、当該第２状態のプロセス部を記憶から削除することを特徴とする請求項１０記載のネットワーク制御方法。
【請求項１７】  複数のネットワークセグメントから構成され、上記複数のネットワークセグメントに接続された複数の機器によりグループが構成され、上記グループ内の唯一の機器が第１状態となっており、上記グループ内の他の機器が第２状態となっているネットワークに接続される信号送受信装置であって、
上記ネットワーク内の他の機器とメッセージを相互に送受信する送受信手段と、
自己の状態を第１状態と第２状態の何れかに変化させる状態制御手段と、
自己及び他の機器に関する情報を記憶可能な記憶手段とを有し、
自己が第１状態であるとき、自己が属するグループ内で第２状態となっている他の機器に関する情報を記憶し、
自己が第２状態であるとき、自己が属するグループ内で第１状態となっている他の機器に関する情報を記憶し、
自己が第１状態であるとき、他のグループの第１状態の機器との間でメッセージを交換し、両グループ間で唯一の第１状態となる機器を決定する
ことを特徴とする信号送受信装置。
【請求項１８】  自己が第２状態であるとき、自己に関する情報を自己が属するグループ内の上記第１状態の他の機器に複写し、必要に応じて当該第１状態の機器が記憶する上記グループ内の他の第２状態の機器に関する情報を読み出すことを特徴とする請求項１７記載の信号送受信装置。
【請求項１９】  ネットワークに接続されている他の機器にアクセスするための情報を記述した情報を、上記第１状態の他の機器に複写し、必要に応じて当該第１状態の機器が記憶する上記アクセスするための情報を記述した情報を読み出すことを特徴とする請求項１８記載の信号送受信装置。
【請求項２０】  上記第１状態の機器及び当該第１状態の唯一の機器のみを記憶する第２状態の機器からなるグループ内に接続されている時には、上記送り先を指定しないメッセージ及び上記特定の宛先を指定したメッセージを相互に送受信し得、異なるグループの機器に対しては上記特定の宛先を指定したメッセージのみ送受信し得ることを特徴とする請求項１９記載の信号送受信装置。
【請求項２１】  自己が第２状態であるとき、他のグループの第１状態の機器からのメッセージを自己が属するグループ内の第１状態の機器に転送することを特徴とする請求項２０記載の信号送受信装置。
【請求項２２】  通信エラーを検出するエラー検出手段を有することを特徴とする請求項１７記載の信号送受信装置。
【請求項２３】  自己が第１状態であるとき、第２状態の機器との間で通信エラーを検出したならば、当該第２状態の機器を記憶から削除することを特徴とする請求項２３記載の信号送受信装置。
【請求項２４】  自己が第２状態であるとき、第１状態の機器との間で通信エラーを検出したならば、自己の状態を第１状態に変化させることを特徴とする請求項２３記載の信号送受信装置。
【請求項２５】  時間の経過を検知する時間経過検知手段を有することを特徴とする請求項１７記載の信号送受信装置。
【請求項２６】  自己が第１状態であるとき、第２状態の機器との間で所定時間以上の無通信となったことを検知したならば、当該第２状態の機器を記憶から削除することを特徴とする請求項１７記載の信号送受信装置。
【手続補正２】
【補正対象書類名】明細書
【補正対象項目名】０００８
【補正方法】変更
【補正の内容】
【０００８】
【課題を解決するための手段】
本発明のネットワークシステムは、複数のネットワークセグメントから構成され、上記ネットワークセグメントには情報処理を司るプロセス部を備えるノードが複数接続され、上記各プロセス部は、ネットワーク内の他のプロセス部とメッセージを相互に送受信し得、第１状態と第２状態の何れにも自己の状態を変化し得、上記複数のプロセス部によりグループが構成され、上記グループ内の唯一のプロセス部が上記第１状態となっており、上記グループ内の他のプロセス部が上記第２状態となっているネットワークシステムであって、上記第１状態のプロセス部は、グループ内で第２状態となっているプロセス部に関する情報を記憶し、上記第２状態のプロセス部は、グループ内で第１状態となっているプロセス部に関する情報を記憶し、第１のグループ内で上記第１状態となっているプロセス部と、第２のグループ内で上記第１状態となっているプロセス部との間でメッセージを交換し、両グループ間で唯一の第１状態となるプロセス部を決定し、上記決定により選定されたプロセス部を第１状態に維持し、上記決定により選定されなかったプロセス部を第２状態にし、上記第１のグループに属するプロセス部と上記第２のグループに属するプロセス部とからなる第３のグループを構成することにより、上述した課題を解決する。
【手続補正３】
【補正対象書類名】明細書
【補正対象項目名】０００９
【補正方法】変更
【補正の内容】
【０００９】
本発明のネットワーク制御方法は、複数のネットワークセグメントから構成され、上記ネットワークセグメントには情報処理を司るプロセス部を備えるノードが複数接続され、上記各プロセス部は、ネットワーク内の他のプロセス部とメッセージを相互に送受信し得、第１状態と第２状態の何れにも自己の状態を変化し得、上記複数のプロセス部によりグループが構成され、上記グループ内の唯一のプロセス部が上記第１状態となっており、上記グループ内の他のプロセス部が上記第２状態となっているネットワークを制御するネットワーク制御方法であって、上記第１状態のプロセス部は、グループ内で第２状態となっているプロセス部に関する情報を記憶し、上記第２状態のプロセス部は、グループ内で第１状態となっているプロセス部に関する情報を記憶し、第１のグループ内で上記第１状態となっているプロセス部と、第２のグループ内で上記第１状態となっているプロセス部との間でメッセージを交換し、両グループ間で唯一の第１状態となるプロセス部を決定し、上記決定により選定されたプロセス部を第１状態に維持し、上記決定により選定されなかったプロセス部を第２状態にし、上記第１のグループに属するプロセス部と上記第２のグループに属するプロセス部とからなる第３のグループを構成することにより、上述した課題を解決する。
【手続補正４】
【補正対象書類名】明細書
【補正対象項目名】００１０
【補正方法】変更
【補正の内容】
【００１０】
本発明の信号送受信装置は、複数のネットワークセグメントから構成され、上記複数のネットワークセグメントに接続された複数の機器によりグループが構成され、上記グループ内の唯一の機器が第１状態となっており、上記グループ内の他の機器が第２状態となっているネットワークに接続される信号送受信装置であって、上記ネットワーク内の他の機器とメッセージを相互に送受信する送受信手段と、自己の状態を第１状態と第２状態の何れかに変化させる状態制御手段と、自己及び他の機器に関する情報を記憶可能な記憶手段とを有し、自己が第１状態であるとき、自己が属するグループ内で第２状態となっている他の機器に関する情報を記憶し、自己が第２状態であるとき、自己が属するグループ内で第１状態となっている他の機器に関する情報を記憶し、自己が第１状態であるとき、他のグループの第１状態の機器との間でメッセージを交換し、両グループ間で唯一の第１状態となる機器を決定することにより、上述した課題を解決する。